(57)【要約】【課題】  肌当接面を使用直前まで衛生的に保護し、また、ショーツ等に固定する際の操作性を向上させ得る吸収性物品の個別包装体を提供すること。【解決手段】  本体及びウイング部を有する吸収性物品１を、包装材９と共に長手方向に折り畳んで所定箇所を封止してなる吸収性物品の個別包装体であり、吸収性物品１は、ウイング部が本体の肌当接面側に折り畳まれ、且つ長手方向におけるウイング部を有する部分上に、それより後方及び前方の部分を順に重ねて折り畳まれており、各ウイング部の非肌当接面側の面と前記後方の部分とが剥離シートに剥離可能に接着され、包装材９の所定箇所を開封しウイング部６より前方の部分Ｆのみを展開した状態で、剥離シートの一部１２ａが摘めるようになっている。【選択図】  図４
2006180990.tif 000002
【特許請求の範囲】
【請求項１】
縦長の本体、該本体の左右両側に延設された一対のウイング部を有している吸収性物品を、包装材と共に長手方向に折り畳み、該包装材の所定箇所を封止してなる吸収性物品の個別包装体であって、
前記吸収性物品は、前記各ウイング部が前記本体の肌当接面側に折り畳まれており、且つ該吸収性物品の長手方向における前記ウイング部を有する部分上に、該ウイング部より後方に位置する部分を重ね、更にその上に該ウイング部より前方に位置する部分を重ねるようにして長手方向に折り畳まれており、
前記各ウイング部の非肌当接面側の面と前記ウイング部より後方に位置する部分とが、両者間に配された剥離シートに、それぞれ粘着部を介して剥離可能に接着されており、
前記包装材の所定箇所を開封し、前記ウイング部より前方に位置する部分のみを展開した状態において、前記剥離シートの一部が摘めるようになされていることを特徴とする吸収性物品の個別包装体。
【請求項２】
前記吸収性物品は、前記ウイング部より後方に位置する部分に一対の後部フラップ部を有しており、前記各後部フラップ部は、前記本体の肌当接面側に折り畳まれており、該各後部フラップ部の非肌当接面側の面が、前記剥離シートに接着されている請求項１記載の吸収性物品の個別包装体。
【請求項３】
前記ウイング部より前方に位置する部分のみを展開した状態において、前記剥離シートの前記一部が起立するようになされている請求項１又は２記載の吸収性物品の個別包装体。
【請求項４】
縦長の本体、該本体の左右両側に延設された一対のウイング部を有している吸収性物品を、包装材と共に長手方向に折り畳み、該包装材の所定箇所を封止して包装された吸収性物品の個別包装体が複数個収容されたパッケージであって、
前記吸収性物品は、前記各ウイング部が前記本体の肌当接面側に折り畳まれており、且つ該吸収性物品の長手方向における前記ウイング部を有する部分上に、該ウイング部より後方に位置する部分を重ね、更にその上に該ウイング部より前方に位置する部分を重ねるようにして長手方向に折り畳まれており、
前記各ウイング部の非肌当接面側の面と前記ウイング部より後方に位置する部分とが、両者間に配された剥離シートに、それぞれ粘着部を介して剥離可能に接着されており、
前記吸収性物品の装着方法として、前記包装材の所定箇所を開封し、前記ウイング部より前方に位置する部分のみを展開した状態において吸収性物品から該包装材を取り除き、該包装材を取り除いた吸収性物品を下着に載置及び固定し、前記ウイング部より後方に位置する部分と該ウィング部の非肌当接面側の面との間に介在する前記剥離シートを摘んで引っ張り、該吸収性物品のウイング部より後方に位置する部分を展開して下着に固定する、吸収性物品の装着方法が記載されたパッケージ。
【発明の詳細な説明】
【技術分野】
【０００１】
本発明は、吸収性物品を包装材と共に長手方向に折り畳み、該包装材の所定箇所を封止してなる吸収性物品の個別包装体に関する。
【背景技術】
【０００２】
従来、生理用ナプキン、パンティライナー（おりものシート）等の吸収性物品は、包装材とともに折り畳まれ、個別包装（個装）されて市販等されている。また、このような吸収性物品は、通常、粘着部を介してショーツ等の下着に固定されて使用されるが、包装された状態においては、そのような粘着部は剥離紙等によって被覆され保護されている。
このような吸収性物品を使用する際には、吸収性物品を包装材から引き剥がし、また、剥離紙等を剥がして粘着部を露出させるが、その状態における吸収性物品は、通常、長手方向の全体が展開された状態となる。
そのため、特に着用者の前後方向に比較的長い吸収性物品においては、吸収性物品を持ったときに、その後端部を持てば前端部、その前端部を持てば後端部が下方に垂れ下がってしまい、ショーツ等の適切な位置に吸収性物品を容易に固定することができなかった。例えば、垂れ下がった前端部や後端部が意図せずに不適切な部位にくっついてしまうことがあり、そのような場合には、一旦引き剥がして再度付け直す必要があり、場合によっては、更に煩雑な作業が必要となっていた。
【０００３】
特許文献１には、幅方向に折り畳まれた左右のフラップが剥離ストラップに接着されており、該剥離ストラップに、該剥離ストリップの取り外しを開始する手段を設けた衛生ナプキンが記載されている。しかし、この衛生ナプキンにおいても、吸収性物品をショーツ等に固定する際には、長手方向に全体が展開した状態となるため、固定する際の操作性が良好ではない。
【０００４】
【特許文献１】特許第３１００６２９号公報
【発明の開示】
【発明が解決しようとする課題】
【０００５】
従って、本発明の目的は、吸収性物品の肌当接面を使用直前まで衛生的に保護することができ、また、吸収性物品を、ショーツ等に固定する際の操作性を向上することのできる吸収性物品の個別包装体を提供することにある。
【課題を解決するための手段】
【０００６】
本発明は、縦長の本体、該本体の左右両側に延設された一対のウイング部を有している吸収性物品を、包装材と共に長手方向に折り畳み、該包装材の所定箇所を封止してなる吸収性物品の個別包装体であって、前記吸収性物品は、前記各ウイング部が前記本体の肌当接面側に折り畳まれており、且つ該吸収性物品の長手方向における前記ウイング部を有する部分上に、該ウイング部より後方に位置する部分を重ね、更にその上に該ウイング部より前方に位置する部分を重ねるようにして長手方向に折り畳まれており、前記各ウイング部の非肌当接面側の面と前記ウイング部より後方に位置する部分とが、両者間に配された剥離シートに、それぞれ粘着部を介して剥離可能に接着されており、前記包装材の所定箇所を開封し、前記ウイング部より前方に位置する部分のみを展開した状態において、前記剥離シートの一部が摘めるようになされていることを特徴とする吸収性物品の個別包装体を提供することにより、上記の目的を達成したものである。
【発明の効果】
【０００７】
本発明の吸収性物品の個別包装体は、吸収性物品の肌当接面を使用直前まで衛生的に保護することができ、また、吸収性物品を、ショーツ等に固定する際の操作性に優れている。
【発明を実施するための最良の形態】
【０００８】
以下本発明を、その好ましい実施形態に基づき図面を参照して説明する。
本発明の第１実施形態としての吸収性物品の個別包装体は、図１に示すように、生理用ナプキン１を包装材９により個別に包装してなる生理用ナプキンの個別包装体１０である。
本実施形態における生理用ナプキン１（以下、ナプキン１ともいう）は、図２に示すように、肌当接面を構成する表面シート２、非肌当接面を構成する裏面シート３及びこれら両シート間に介在された液保持性の吸収体４を具備し、実質的に縦長の形状を有している。表面シート２は、液透過性の中央シート２ａ及びその左右両側に一部を重ねた状態で接合された撥水性の側部シート２ｂ，２ｂからなる。
ナプキン１は、長手方向の一端部から他端部に向かって順に、着用時に着用者の腹部寄りの位置に配される前方部Ａ、着用者の液排泄部に対向配置される排泄部対向部Ｂ及び着用者の背中寄りの位置に配される後方部Ｃを有している。
【０００９】
ナプキン１は、その幅方向の中央部分に、表面シート２、吸収体４及び裏面シート３がこの順に積層された構成の本体５を有し、該本体５の左右両側に、吸収体４の両側縁から延出した表面シート２及び裏面シート３により形成されたフラップ部を有している。
フラップ部は、排泄部対向部Ｂにおいてナプキン１の幅方向の外方に向かって大きく張り出しており、これにより本体５の左右両側に、一対のウイング部６，６が形成されている。また、フラップ部は、後方部Ｃにおいてもナプキン１の幅方向の外方に向かって大きく張り出しており、これにより本体５の左右両側に、一対の後部フラップ部７，７が形成されている。
【００１０】
ウイング部６は、裏面シート３側の面に、粘着剤の塗工により形成されたウイング部粘着部８１を有している。ウイング部６は、ナプキン１をショーツ等の下着に固定する際に、裏面シート３側に折り曲げられ、ウイング部粘着部８１を介してショーツ等の下着の非肌対向面に粘着固定される。後部フラップ部７は、裏面シート３側の面に、粘着剤の塗工により形成された後部粘着部８２を有している。後部フラップ部７は、ナプキン１をショーツ等の下着に固定する際に、本体５の側方に延ばされた状態で、後部粘着部８２を介してショーツ等の下着の肌対向面上に粘着固定される。
本体５の裏面シート３側の面には、矩形状に粘着剤が塗工されて本体粘着部５ａが形成されている。ナプキン１は、その長手方向において、ウイング部６と後部フラップ部７との間が幅狭に括れている。
【００１１】
本実施形態の個別包装体１０は、例えば、下記のようにして得られる
先ず、図３に示すように、ナプキン１を、包装材９上に載置する。ウイング部６及び後部フラップ７は、本体５の両側縁に沿って本体５の表面シート２側（肌当接面側）に折り曲げておく。そして、矩形状の剥離シート１２を、左右のウイング部６，６における各ウイング部粘着部８１が被覆されるように、両ウイング部６，６上に載置する。剥離シート１２と包装材９とは一部においても接合されていない。剥離シート１２は、ナプキン１の排泄部対向部Ｂから前方部Ａにかけた領域に配置されている。即ち、剥離シート１２は、ウイング部６だけでなく、それより前方に位置する部分である図３中Ｆで示す部分にも存在している。
【００１２】
そして、その状態において、ナプキン１を、ウイング部６と後部フラップ部７との境界部よりもやや後端部寄りの位置において、包装材９と共に長手方向に折り曲げる。即ち、ナプキン１の後端部近傍の、図３中Ｄで示す部分を、表面シート２側に折り曲げ、当該部分よりもナプキン前方部側に位置する図中Ｅで示す部分上に積層する。この折り曲げは、後部粘着部８２が剥離シート１２上に重なるように行う。このときの折り線を、図３中にＬ１で示す。この１回目の折り曲げにより、ナプキン１の長手方向におけるウイング部６，６を有する部分Ｅ１上に、ウイング部６より後方に位置する部分である図３中Ｄで示す部分が重ねられる。本ナプキン１においては、排泄部対向部Ｂと、ナプキン１の長手方向におけるウイング部６，６を有する部分Ｅ１とが略一致している。
【００１３】
次いで、ナプキン１を、排泄部対向部Ｂと前方部Ａとの境界部付近において、包装材９と共に長手方向に折り曲げる。即ち、ウイング部６より前方に位置する部分である図３中Ｆで示す部分を、表面シート２側に折り曲げ、ウイング部６を有する部分Ｅ１上に重ねた状態の図３中Ｄで示す部分上に積層する。従って、剥離シート１２もナプキン１のＦで示す部分とともに折り畳まれている。このときの折り線を、図３中にＬ２で示す。ナプキン１は、このようにして、包装材９と共に長手方向に折り畳まれてコンパクトな形態となる。
【００１４】
そして、折り畳まれた状態のナプキン１の両側縁から幅方向外方に延出する包装材９の両側部をエンボス加工等の公知の接合方法により封止すると共に、包装材９の端縁部を公知のタブテープ１１を所定箇所に止着することにより、図１に示すようなナプキン１の個別包装体１０が得られる。
【００１５】
このようにして得られた本実施形態のナプキンの個別包装体においては、各ウイング部６の裏面シート３側の面と各後部フラップ部７の裏面シート３側の面（非肌当接面側の面）とが、それぞれに設けられたウイング部粘着部８１又は後部粘着部８２を介して剥離シート１２に剥離可能に接着された状態となっている。尚、本実施形態の個別包装体１０においては、ウイング部粘着部８１又は後部粘着部８２は、剥離シート１２と介して互いに重なっている。即ち、ウイング部粘着部８１及び後部粘着部８２は、ナプキン１の幅方向における同じ位置であって、図３中Ｌ１で示される折り線からの距離が等しい位置にほぼ同様の大きさに形成されている。
【００１６】
本体の肌当接面は、本体の両面のうち、着用時に着用者の肌側に向けられる面であり、本体の非肌当接面は、本体の両面のうち、着用時にショーツ等の下着側（着用者の肌側とは反対側）に向けられる面である。ウイング部及び後部フラップ部それぞれの非肌当接面側の面は、図２に示すように吸収性物品を平面状に拡げた状態において本体の非肌当接面と同方向を向いた面である。
【００１７】
ウイング部粘着部８１及び後部粘着部８２形成用の粘着剤としては、それぞれ、生理用ナプキン等の吸収性物品の粘着部形成用に従来用いられている各種の粘着剤を特に制限なく用いることができ、ウイング部粘着部８１と後部粘着部８２とで、粘着剤の種類が同一であっても異なっていても良い。
剥離シート１２としては、ウイング部粘着部８１又は後部粘着部８２を剥離可能に接着可能な各種のものを用いることができ、例えば、紙や樹脂フィルム等からなる基材シートの両面に剥離処理を施したもの等を用いることができる。剥離処理としては、例えばシリコン系樹脂、フッ素系樹脂、または四フッ化エチレン系樹脂などの離型処理液等を、塗工するかスプレー塗布し表面に薄い被膜を形成する方法、さらに紫外線照射や熱処理により剥離被膜を安定化させる方法等を挙げることができる。また、基材シートに水解機能を有するものを用いることにより、ナプキンをショーツ等の下着に固定したあと、使用後のナプキンを包むなどの用途のない剥離シートはトイレに廃棄することができる。水解性を有する基材シートとしては、水溶性のポリビニールアセテート（ＰＶＡ）樹脂や水分散可能な各種水解紙に上記剥離処理を施したものを用いることができる。なお、水解性を有する基材シートへの剥離処理は、ドット状やブロック状のように部分的におこなうことによってシートの崩壊が起こりやすくしたものを用いることが好ましく、さらにＰＶＡ樹脂で形成して部分的膨潤・部分的溶解による崩壊が促進するよう形成されたものがより好ましい。
【００１８】
本実施形態の個別包装体１０においてナプキン１を使用する際には、タブテープ１１を摘んで引っ張り、図３及び図４中Ｆで示す部分（ウイング部より前方に位置する部分）を開いて、図４に示す状態とする。
本実施形態の個別包装体１０は、このようにして、図４中Ｆで示す部分（ウイング部より前方に位置する部分）のみを展開した状態において、剥離シート１２の一部１２ａが、折り畳まれたナプキン１から延出しており、該一部１２ａを摘めるようになっている。剥離シートの一部１２ａが摘めるための具体的構成としては、図４に示すように、ナプキン１の長手方向の後端部１３からその延長方向の外方に向かって剥離シート１２の一部が延出していることが好ましい。
【００１９】
本実施形態の個別包装体１０においては、ナプキン１の長手方向におけるウイング部６より前方に位置する部分のみを展開した状態において、剥離シート１２の一部１２ａが起立するようになされている。即ち、図４中Ｆで示す部分（ウイング部より前方に位置する部分）を展開し、該部分と、図４中ＤＥで示す部分（互いに積層された、ナプキン１の長手方向におけるウイング部６を有する部分と該ウイング部６より後方に位置する部分とからなる部分）とが同一平面状になるように拡げた状態において、その平面に対して、剥離シート１２の一部１２ａが角度（例えば３０〜１５０度）をなして起立するようになされている。剥離シート１２の一部１２ａが起立することで、該一部１２ａが摘み易くなり、ナプキン１の装着操作が一層容易となる。
【００２０】
剥離シート１２の一部１２ａを起立させるために、本実施形態においては、剥離シート１２を、図４中Ｆで示す部分（ウイング部より前方に位置する部分）と他の部分との間の折り線Ｌ２においてナプキン１と共に同じ方向に折り曲げ、剥離シート１２に折り癖をつけてある。ナプキン１と共に折り曲げて付けた折り癖により剥離シート１２を起立させる観点から、剥離シート１２は、折り癖が残り易くへたりにくい材料、例えば紙や不織布、あるいはポリプロピレン、ポリエステル、ポリエチレン、ポリビニルアルコール等からなるフィルム、及びこれらの複合材料から構成することが好ましい。また、同様の観点から、ナプキン１を折り畳んだ状態において、剥離シート１２の端縁１２ｂは、前記折り線Ｌ２から１〜５ｃｍ程度、ナプキン前端縁１４方向（タブテープの方向）に延出した位置にあること、及び／又は、ナプキン１の前端縁１４と後端縁１３との間にあることが好ましい。
【００２１】
本実施形態の個別包装体１０におけるナプキン１の好ましい使用方法においては、図４に示すように、包装材９の所定箇所を開封し、ウイング部より前方に位置する部分Ｆのみを展開した状態において、包装材９をナプキン１から引き剥がす。ナプキン１は、包装材９を引き剥がしても、ウイング部６と後部フラップ部７とが剥離シート１２を介して互いに接合されていることによって、２つ折りのコンパクトな形態を維持している。
【００２２】
そして、この状態のナプキン１を、図５（ａ）に示すように、ショーツのクロッチ部２０に載置し、該ナプキン１の一部を本体粘着部５ａの一部を介してクロッチ部２０上に固定する。次いで、ナプキン１から露出する剥離シート１２の一部１２ａを摘んで、図５（ａ）中の矢印で示す方向に引っ張り、図５（ｂ）に示すように、ナプキン１を長手方向に展開させるようにして、剥離シート１２を取り去る。
次いで、ウイング部６，６及び後部フラップ部７，７を左右に開き、ウイング部６は、クロッチ部２０の両側縁に沿って折り曲げ、ウイング部粘着部８１を介してクロッチ部の非肌対向面側に固定し、後部フラップ部７は、後部粘着部８２を介してクロッチ部２０の肌対向面に固定する。
【００２３】
本実施形態のナプキンの個別包装体によれば、包装材９を引き剥がした状態においても、ナプキン１がコンパクトな形態を維持しており、そのようなコンパクトな状態において、ショーツのクロッチ部２０等に対する位置決めができ、次いで、そのナプキンを長手方向に展開して、ウイング部６や後部フラップ部７により強固にクロッチ部２０等に固定することができる。また、ナプキンを長手方向に展開する操作を、剥離シート１２を引っ張るという簡単な操作で行うことができる。そのため、ナプキン１を、操作性良く、適切な位置に容易に固定することができる。特に、本実施形態のように後部フラップを有するような長い形態の場合、不適切な箇所に誤って接着固定することがなく、有用である。また、ナプキンを長手方向に展開する直前まで、ナプキンの肌当接面をナプキンや剥離シート等で被覆しておくことができるので、衛生面でも優れている。
【００２４】
図６は、本発明の第２実施形態を示す図である。第２実施形態については、上述した第１実施形態の個別包装体１０と異なる点を主として説明し、同様の点は同一の符号を付して説明を省略する。特に説明しない点は、第１実施形態の個別包装体１０についての説明が適宜適用される。
【００２５】
第２実施形態におけるナプキン１Ａにおいては、図６に示すように、後部フラップ部７には後部粘着部８２が形成されておらず、本体５部分の裏面シート側の面に、一対の後部粘着部８３が形成されている。ナプキン１Ａの本体５は、包装材９上に載せられている部分に矩形状の本体粘着部５ａを有するとともに、包装材９から延出した部分に上述した後部粘着部８３が設けられている。
第２実施形態の個別包装体は、ナプキン１Ａを、一点鎖線Ｌ４を折り線として、図６（ｂ）中Ｄ１で示す部分をＤ２で示す部分に重ねるようにして折り曲げた後、更に一点鎖線Ｌ１を折り線として、Ｄ１で示す部分とＤ２で示す部分とを重ねた状態のまま、それらを図６中Ｅで示す部分に重ねるように折り曲げ、以後は、第１実施形態と同様にして得られる。
【００２６】
第２実施形態の個別包装体においては、各ウイング部６の裏面シート３側の面（非肌当接面側の面）と、ウイング部６より後方に位置する部分としての後方部Ｃにおける本体５の裏面シート３側の面が、両者間に配された剥離シート１２に、それぞれに設けられたウイング部粘着部８１又は後部粘着部８３を介して剥離可能に接着されている。  そして、第２実施形態の個別包装体においても、図６（ｂ）中Ｆで示す部分（ウイング部より前方に位置する部分）のみを展開した状態において、剥離シート１２の一部１２ａ、具体的には、図６（ｂ）中の折り線Ｌ２より上方に位置する部分が、折り曲げられたナプキン１から延出して摘めるようになっている。
【００２７】
第２実施形態の個別包装体においてナプキン１Ａを使用する際には、包装材９の所定箇所を開封し、図６（ｂ）中Ｆで示す部分のみを展開し、その状態で、ナプキン１Ａから包装材９を引き剥がす。ナプキン１Ａは、包装材９を引き剥がしても、ウイング部６と本体５における展開状態においては相離間することになる二つの部位が、単一の剥離シート１２に接着された両粘着部８１，８３の接着力によって互いに接合され、３つ折りのコンパクトな形態を維持している。
第２実施形態の個別包装体においても、このようなコンパクトな状態のナプキン１Ａをクロッチ部上に載置し、その一部を固定した後、剥離シート１２の一部を摘んで引っ張ることにより、ナプキン１Ａを長手方向に展開できるので、第１実施形態の個別包装体と同様の効果が奏される。
【００２８】
上述した各実施形態における各部の形成材料としては、生理用ナプキン等の吸収性物品の個別包装体に、従来用いられているものを特に制限なく用いることができる。例えば、裏面シートとしては、樹脂フィルムや樹脂フィルムと不織布等との積層体等を用いることができる。
【００２９】
本発明の吸収性物品の個別包装体は、上記の実施形態に制限されるものではなく、本発明の趣旨を逸脱しない範囲において種々変形可能である。例えば、表面シートは、その全体が一枚の液透過性のシートからなるものを用いることもできる。また、ウイング部及び後部フラップ部は、本体の構成材を延出させて形成されたものに代えて、別材を固定して形成することもできる。また、吸収性物品は、後部フラップ部を有しないものであっても良い。剥離シート１２の形状は、長方形、正方形、台形、六角形、楕円形等とすることができる。また、ウイング部粘着部と後部粘着部とは、剥離シート１２の一方の面側と他方の面側とで同じ位置に形成されていなくても良い。また、用いる剥離シートは両面剥離性のものだけでなく、片面剥離性シートの非剥離面を部分的に接合してものを用いても良く、具体的にはウイング部と後部フラップ部を覆う一枚の剥離シートを接合したもの、ウイング部及び後部フラップ部各々の剥離シートを接合するなどして形成することができる。
【００３０】
各粘着部に使用される粘着剤は、直接、フラップ部や本体等の非肌当接面に塗布してもよく、剥離シートや剥離処理された包装材に塗布した後に非肌当接面に添着されてもよい。
【００３１】
本発明の吸収性物品の個別包装体は、本発明の吸収性物品の好ましい装着方法（例えば、ナプキン１，１Ａに関して上述したナプキンの装着方法）を、消費者が容易に実行することができるように、その好ましい装着方法が記載されたパッケージとして、市販、流通等させることが好ましい。即ち、吸収性物品の装着方法として、包装材の所定箇所を開封し、ウイング部より前方に位置する部分のみを展開した状態において吸収性物品から該包装材を取り除き、該包装材を取り除いた吸収性物品を下着に載置及び固定し、ウイング部より後方に位置する部分とウィング部の非肌当接面側の面との間に介在する前記剥離シートを摘んで引っ張り、吸収性物品のウイング部より後方に位置する部分を展開して下着に固定する、吸収性物品の装着方法が記載されたパッケージとして、市販、流通等させることが好ましい。
【００３２】
このようなパッケージは、吸収性物品の個別包装体の複数個を収納袋や箱に収容して得られる。収納袋や箱としては、従来、複数個の吸収性物品を纏めて販売するために用いられている各種公知の、樹脂フィルム製の袋、紙製の箱、合成樹脂製の箱等を用いることができる。
吸収性物品の装着方法の記載場所としては、収納袋や箱の外面や、個別包装体の包装材、剥離シートの摘み部、収納袋や箱に入れた説明書等が挙げられるが、収納袋や箱の外面に表示することが好ましい。また、吸収性物品の装着方法の記載は、消費者がその記載に従うことにより、その装着方法を実行できる限り、文言や言い回し、表現方法等は特に制限されず、文章のみで表現されていても、図（イラスト等）や写真と文章との組合せで表現されていても、図や写真のみで表現されていても良い。
【００３３】
本発明における吸収性物品は、生理用ナプキンの他、パンティライナー（おりものシート）、失禁パッド等の他の吸収性物品であっても良い。
【図面の簡単な説明】
【００３４】
【図１】図１は、本発明の一実施形態としての生理用ナプキンの個別包装体を示す斜視図である。
【図２】図２は、図１の個別包装体における生理用ナプキンを示す概略図で、図２（ａ）は表面シート側を示す平面図、図２（ｂ）は裏面シート側を示す底面図である。
【図３】図３は、図１の個別包装体の構成及び製造手順を説明するための展開図である。
【図４】図４は、図１の個別包装体を一部開封した状態を示す図である。
【図５】図５は、図１の個別包装体における生理用ナプキンの使用方法を示す図で、図５（ａ）は、ナプキンをショーツのクロッチ部上に載置し位置決めした状態、図５（ｂ）は、ナプキンを長手方向に展開した状態を示す図である。
【図６】図６は、本発明の他の実施形態を示す図で、図６（ａ）は、図２（ｂ）相当図、図６（ｂ）は、図３相当図である。
【符号の説明】
【００３５】
１０  生理用ナプキンの個別包装体
２  表面シート（表面層）
３  裏面シート（裏面層）
４  吸収体（吸収層）
５  本体
６  ウイング部
７  後部フラップ部
８１  フラップ部粘着部
８２，８３  後部粘着部
９  包装材
１２  剥離シート
Ａ    前方部
Ｂ    排泄部対向部
Ｃ    後方部
【図１】
2006180990.tif 000003
【図２】
2006180990.tif 000004
【図３】
2006180990.tif 000005
【図４】
2006180990.tif 000006
【図５】
2006180990.tif 000007
【図６】
2006180990.tif 000008